(57)【要約】【課題】本発明では、省電力動作状態にある装置が利用者により、誤認識され、誤操作されるのを防止し、装置の信頼性を保証する。【解決手段】本発明では、動作制御部107pは、操作部からの操作信号を受けて電子装置本体100の動作状態を制御する。省電力状態設定部107aはセンサ部108が所定の検出出力（ユーザ検出）を得られないとき電子装置本体を省電力状態に移行させる。第１の省電力状態解除部107bはセンサ部が前記所定の検出出力（ユーザ検出）を得たとき前記電子装置本体の省電力状態を解除する。第２の省電力状態解除部107cは、前記省電力状態のときに前記操作部からの操作信号が入力したとき、強制的に省電力状態を解除する。【選択図】図２
2010177905.tif 000002
【特許請求の範囲】
【請求項１】
電子装置本体と、
操作部からの操作信号を受けて、前記電子装置本体の動作状態を制御する動作状態制御部と、
周囲の特定の対象を検出するセンサ部と、
前記センサ部からの前記対象の検出出力の有り無しに応じて前記電子装置本体を省電力の解除状態と省電力状態に変化させる共に、前記省電力状態のときに前記センサ部が前記対象を検出出来ない場合でも操作信号が入力したときは、強制的に前記省電力状態を解除する制御部を有することを特徴とする電子装置。
【請求項２】
前記制御部は、
前記センサ部が前記検出出力を得られないとき前記電子装置本体を省電力状態に移行させる省電力状態設定部と、
前記センサ部が前記検出出力を得たとき前記電子装置本体の省電力状態を解除する第１の省電力状態解除部と、
前記センサ部が前記対象を検出出来ない場合でも強制的に省電力状態を解除する第２の省電力状態解除部と、を有する請求項１記載の電子装置。
【請求項３】
前記電子装置本体は、映像表示装置であり、前記省電力状態では表示部への出力が停止されることを特徴とする請求項１記載の電子装置。
【請求項４】
前記電子装置本体は、映像表示装置であり、前記省電力状態では表示部への出力が停止されるが、音声出力部の出力は維持されることを特徴とする請求項１記載の電子装置。
【請求項５】
前記電子装置本体は、オーディオ機器、エアーコンディショナー、または室内照明具のいずれかであることを特徴とする請求項１記載の電子装置。
【請求項６】
前記操作部は、リモートコントローラ又は固定操作部のいずれかであることを特徴とする請求項１記載の電子装置。
【請求項７】
電子装置本体と、操作部からの操作信号を受けて前記電子装置本体の動作状態を制御する動作状態制御部と、周囲の特定の対象を検出するセンサ部を有した電子装置の制御方法において、
前記センサ部による前記対象の検出出力の有り無しに応じて前記電子装置本体を省電力状態解除状態と省電力状態に変化させ、
前記省電力状態のときに前記センサ部が前記対象を検出出来ない場合でも操作信号が入力したときは、強制的に前記省電力状態を解除することを特徴とする電子装置の制御方法。
【請求項８】
電子装置本体と、操作部からの操作信号を受けて前記電子装置本体の動作状態を制御する動作状態制御部と、周囲の特定の対象を検出するセンサ部を有した電子装置の制御部における制御用プログラムであって、
前記センサ部が前記対象の検出出力を得たとき前記電子装置本体を省電力状態の状態にし、
前記センサ部が前記対象の検出出力を得なくなったとき前記電子装置本体の省電力状態を解除し、
前記省電力状態のときに、前記センサ部が前記対象を検出出来ない場合でも前記操作信号が入力したとき、強制的に省電力状態を解除することを特徴とする電子装置の制御用プログラム。
【発明の詳細な説明】
【技術分野】
【０００１】
本発明は電子装置及び電子装置の制御方法と制御プログラムに関するもので、特に省電力に寄与する発明である。
【背景技術】
【０００２】
電力を使用する電子装置にあっては省電力対策が施されている。映像表示装置においても省電力対策を図った技術が公知である（たとえば特許文献１、特許文献２）。
【０００３】
特許文献１では、映像表示装置が人体センサを備えている。人体センサにより、人体が映像表示装置に接近したことが検出されると、映像表示装置は電源がオンされ、人体が検出されないときは、映像表示装置の電源はオフされる。
【０００４】
特許文献２では、周囲のユーザの存在を検出するセンサがリモートコントローラに設けられている。センサがユーザの不在を検出したとき、不在時間の長さに応じて、段階的に省電力状態を制御する。不在時間が３分以上経過したときは、ハードディスク装置のヘッドを退避位置へ移動させ、５分以上経過したときは、ハードディスク装置のモータを停止させている。
【先行技術文献】
【特許文献】
【０００５】
【特許文献１】実開平５−４６７９号号公報
【特許文献２】特開２００１−３５９０３２号公報
【発明の概要】
【発明が解決しようとする課題】
【０００６】
この発明の目的は、省電力動作状態にある装置が利用者により、誤認識され、誤操作されるのを防止し、装置の信頼性を保証するようにした映像表示装置及び映像表示装置の制御方法と制御プログラムを提供することにある。
【課題を解決するための手段】
【０００７】
上記の課題を解決するために本発明の一面では、電子装置本体と、操作部からの操作信号を受けて、前記電子装置本体の動作状態を制御する動作状態制御部と、周囲の特定の対象を検出するセンサ部と、前記センサ部からの前記対象の検出出力の有り無しに応じて前記電子装置本体を省電力の解除状態と省電力状態に変化させる共に、前記省電力状態のときに前記センサ部が前記対象を検出出来ない場合でも操作信号が入力したときは、強制的に前記省電力状態を解除する制御部を有する。
【発明の効果】
【０００８】
省電力状態にある電子装置は、利用者によりたとえば電子装置本体が電源オフ状態であると誤認識されることがある。このような場合に利用者が操作部、たとえばリモートコントローラの電源ボタンを操作すると、電子装置本体が実質的な電源オフ状態に移行し、利用者が電子装置の故障と誤認識することがある。しかし、上記解決手段によると、このような誤認識は解消される。またセンサ部の検出機能が劣化しているような場合でも操作部の操作により省電力状態を復帰することができる。
【図面の簡単な説明】
【０００９】
【図１】本発明が適用された映像表示装置の概念図である。
【図２】図１の映像表示装置の各部構成ブロックを示す図である。
【図３】図２の装置の動作例を示すフローチャートである。
【図４】本発明の効果を説明するために検出領域を示した説明図である。
【図５】本発明が適用された映像表示装置の他の実施状況を示す概念図である。
【発明を実施するための形態】
【００１０】
以下、本発明の実施の形態について、詳細に説明する。まず図１に本発明が適用された電子装置が映像表示装置の場合の概念図を示す。
【００１１】
映像表示装置１００はユーザ２００の存否を検知するセンサ部１０８を備えている。図１（A)に示すように、ユーザ２００が、センサ部１０８の検出領域A１内に居るときは、自動動作状態にある映像表示装置１００は、省電力状態を解除し、通常動作状態で動作する。しかし図１（B)に示すように、ユーザ２００が、センサ部１０８の検出領域A１の外に移動し、一定時間（たとえば２乃至５分）が経過すると映像表示装置１００は、省電力状態に移行する。
【００１２】
省電力状態に移行した映像表示装置１００は、映像出力及び音声出力の停止状態となる。このために、映像表示装置１００の表示部は暗状態となり、また音声も無音状態となる。映像出力停止状態になると液晶パネルの場合バックライトのオフが行われる。
【００１３】
図２は、上記映像表示装置の構成例を示している。映像表示装置には、放送波を受信するチューナー部１０１、映像を処理する映像処理部１０２、音声を処理する音声処理部１０３を有する。映像処理部１０２の出力は、映像を表示する映像表示部１０４に供給され、音声処理部１０３の出力は、音声を出力する音声出力部１０５に供給される。
【００１４】
リモートコントローラ（以下リモコンと略称）受信部１０６は、リモコン１２０からの操作信号を受信する。操作信号は、装置を統括的に制御するシステム制御部１０７にて解釈される。システム制御部１０７は、操作信号の解釈に応じて装置の動作状態を制御するための動作制御部１０７ｐを含む。
【００１５】
さらに、システム制御部１０７には、ユーザの存否を検出するセンサ部（代用としてカメラであってもよい）１０８からの検出信号が入力される。
【００１６】
センサ部１０８は、焦電型赤外センサ、超音波センサ、又は送受信型の赤外線ＬＥＤセンサ、パッシブ赤外線感知器等の各種センサを使用、又はこれらを組み合わせて使用してもよい。又はセンサの代用として、カメラの撮像によるユーザ存否の検出（撮像領域内の人体、顔検出等）であってもよい。
【００１７】
この装置において制御部１０７は、次のような特徴的な機能を有する。即ち、センサ部からの対象（ユーザ）の検出出力の有り無しに応じて電子装置本体を省電力状態を解除した状態と省電力状態に変化させる。そして省電力状態のときに前記センサ部が前記対象を検出出来ない場合でも操作信号が入力したときは、強制的に前記省電力状態を解除する。
【００１８】
具体的に記述すると、この装置においては、対象の無を検出することで前記電子装置本体を省電力状態に移行させる省電力状態設定部１０７aと、対象の有を検出することで前記電子装置本体の省電力状態を解除する第１の省電力状態解除部１０７ｂと、前記省電力状態のときであり、前記センサ部１０８が前記対象を検出出来ない場合でも、リモートコントローラからの操作信号が入力したとき、強制的に省電力状態を解除する第２の省電力状態解除部１０７ｃとを有する。
【００１９】
図３に、上記した装置の動作フローの例を示す。今、センサ部１０８によって、対象としてのユーザの不在が検出され、省電力状態の動作に状態にある（ステップS1）ものとする。この状態では、センサ部１０８からのユーザ検出の有無の処理は随時又は定期的に行われ（ステップS2, S3）る。
【００２０】
センサ部１０８によりユーザが検出された場合、つまり所定の検出信号が得られた場合は、通常動作に移行する（ステップS3からステップS4への移行）。ユーザが検出されない場合、省電力動作を継続するが、センサ部１０８によるユーザ検出がされていない状態でリモコン１２０からの操作信号を受信したとすると（ステップS2）、そのリモコン操作に関わらず、通常動作へ移行する（ステップS2からステップS4への移行）。なおここで、通常動作に移行する前に、「省電力状態の映像表示停止等を解除し、通常動作状態に移ります」というようなメッセージを表示した後に、ユーザによる「決定ボタン」操作、または「戻るボタン」操作を確認した上でで、通常動作に移行又は、省電力動作を継続するようにしてもよい。このメッセージは動作状態制御部１０７aの制御に基づいて行われる。この機能は、ユーザが一時的に検出領域を通過するとき、或いはペットなどが検出領域に侵入した際に有効であり、ユーザの現在の意思を動作に反映することができる。
【００２１】
本発明を用いることで、ユーザ不在を検知する映像表示装置において、ユーザの誤解による誤操作を防ぐことができ、ユーザの利便性を高めることが出来る。たとえば、第１のユーザが視聴を止めてセンサ検出領域A1の外（たとえば居間の外）に移動し、映像表示装置が省電力状態にあるとき、第２のユーザが居間に来ると、省電力状態の映像表示装置が電源オフではないかと誤解しやすい。
【００２２】
第２のユーザは、検出領域A1の外から電源スイッチを操作することがある。このような場合、本発明が適用されていない映像表示装置は、本質的な電源オフ状態になり、第２のユーザの意思（電源オン）とは逆の状態を提示することになる。するとユーザが装置の機能に疑問をもつことがある。
【００２３】
しかし、本発明では第２の省電力状態解除部１０７ｃが存在することで、第２のユーザの誤認識によるリモコン操作にも関わらす、映像表示装置は正常動作を行うことができる。
【００２４】
この発明は上記の実施例に限定されるものではない。上記の実施の形態では、映像表示装置１００に本発明が適用された例を説明した。そして映像表示装置は、省電力状態では表示部への出力が停止されるとした。しかしこれに限らない。映像表示装置は、省電力状態では表示部への出力が停止されるが、音声出力部の出力は維持されてもよい。また映像表示装置は、省電力状態では表示部への出力が停止され、音声出力部の出力も停止されてもよい。
【００２５】
本発明は、センサ部１０８の検出領域A1の外からリモコン操作が可能な環境では、特に有効となる。このことは、センサ部１０８の検出領域A1を絞り込むことが可能であることを意味する。
【００２６】
つまり図４に示すように、検出領域を絞り込むみ、検出領域Xから検出領域Yにすることで、不要な誤動作を防止したり、省電力化を得ることができる。つまり、検出領域が大きすぎると、省電力状態にあるときにペットなどを検出して不要なオンオフを繰り返すことがある。このような不要なオンオフを低減するためには、検出領域を絞り込んだほうがよい。そこで、検出領域Xから検出領域Yに設定する。しかしこのように絞り込むと、省電力状態のときに先に説明したようなユーザの誤認識を招くことがある。したがって、本発明のように、省電力状態のときはリモコン操作の内容に関わらず、省電力状態を解除すれば、ユーザの誤解を解消することができる。
【００２７】
またこの発明はオーディオ機器、エアーコンディショナー、室内照明具などにおいても適用できるものである。エアーコンディショナー、室内照明具は、操作信号が特にリモートコントローラから出力されるとは限らない。たとえば、モニタ室のスイッチ（固定操作部）で操作されることがある。したがって本発明の装置は、操作信号発生器がリモコンに限定されるものではない。
【００２８】
図５に示す例は、操作信号発生器５００がたとえば部屋のドア５０１の近くに設置されている例である。このような場合ユーザ２００は、部屋に入ったとき、映像表示装置１００が省電力状態に移行しているとき、電源オフであると勘違いすることがある。このような場合でも操作信号を発生すると、強制的に省電力状態が解除される仕組みになっており、装置の信頼性を確保できる。
【産業上の利用可能性】
【００２９】
本発明は、映像表示装置、室内エアーコンディショナーなど各種の電子装置に適用して、省電力化を図ることができる。
【符号の説明】
【００３０】
１００・・・映像表示装置、２００・・・ユーザ、１０１・・・チューナー部、１０２・・・映像処理部、１０３・・・音声処理部、１０４・・・表示部、１０５・・・音声出力部、１０６・・・リモコン受信部、１０７・・・システム制御部、１０７a・・・省電力状態設定部、１０７ｂ・・・第１の省電力状態解除部、１０７ｃ・・・第２の省電力状態解除部、１０８・・・センサ部、１２０・・・リモコン。
【図１】
2010177905.tif 000003
【図２】
2010177905.tif 000004
【図３】
2010177905.tif 000005
【図４】
2010177905.tif 000006
【図５】
2010177905.tif 000007
【手続補正書】
【提出日】平成22年5月24日(2010.5.24)
【手続補正１】
【補正対象書類名】特許請求の範囲
【補正対象項目名】全文
【補正方法】変更
【補正の内容】
【特許請求の範囲】
【請求項１】
リモートコントローラの電源スイッチの操作に応じて、電源がオン、オフを繰り返す電子装置本体と、
周囲の特定の対象を検出する、前記リモートコントローラの操作可能範囲よりも狭い範囲を検出範囲とするセンサ部と、
前記センサ部が前記特定の対象の検出出力を得られないとき前記電子装置本体を省電力状態に移行させる省電力状態設定部と、
前記センサ部が前記検出出力を得たとき前記電子装置本体の省電力状態を解除する第１の省電力状態解除部と、
前記電子装置が省電力状態の場合、前記センサ部が前記対象を検出していない状態のときに前記電源スイッチの操作入力があると前記省電力状態を解除する第２の省電力状態解除部を有する電子装置。
【請求項２】
前記電子装置本体は、映像表示装置であり、前記省電力状態では表示部への出力が停止されることを特徴とする請求項１記載の電子装置。
【請求項３】
前記電子装置本体は、映像表示装置であり、前記省電力状態では表示部への出力が停止されるが、音声出力部の出力は維持されることを特徴とする請求項２記載の電子装置。
【請求項４】
前記電子装置本体は、オーディオ機器、エアーコンディショナー、または室内照明具のいずれかであることを特徴とする請求項１記載の電子装置。
【請求項５】
リモートコントローラの電源スイッチの操作に応じて、電源がオン、オフを繰り返す電子装置本体と、周囲の特定の対象を検出する、前記リモートコントローラの操作可能範囲よりも狭い範囲を検出範囲とするセンサ部とを有した電子装置の制御方法において、
前記センサ部が前記特定の対象の検出出力を得られないとき前記電子装置本体を省電力状態に移行させ、
前記センサ部が前記検出出力を得たとき前記電子装置本体の省電力状態を解除し、
前記電子装置が省電力状態の場合、前記センサ部が前記対象を検出していない状態のときに前記電源スイッチの操作入力があると前記省電力状態を解除する省電力状態を解除することを特徴とする電子装置の制御方法。
【請求項６】
電源スイッチの操作に応じて、電源がオン、オフを繰り返す電子装置本体と、周囲の特定の対象を検出する、前記リモートコントローラの操作可能範囲よりも狭い範囲を検出範囲とするセンサ部とを有した電子装置の制御部における制御用プログラムであって、
前記センサ部が前記特定の対象の検出出力を得られないとき前記電子装置本体を省電力状態に移行させ、
前記センサ部が前記検出出力を得たとき前記電子装置本体の省電力状態を解除し、
前記電子装置が省電力状態の場合、前記センサ部が前記対象を検出していない状態のときに前記電源スイッチの操作入力があると省電力状態を解除することを特徴とする電子装置の制御用プログラム。
【手続補正２】
【補正対象書類名】明細書
【補正対象項目名】０００７
【補正方法】変更
【補正の内容】
【０００７】
上記の課題を解決するために、リモートコントローラの電源スイッチの操作に応じて、電源がオン、オフを繰り返す電子装置本体と、周囲の特定の対象を検出する、前記リモートコントローラの操作可能範囲よりも狭い範囲を検出範囲とするセンサ部と、前記センサ部が前記特定の対象の検出出力を得られないとき前記電子装置本体を省電力状態に移行させる省電力状態設定部と、前記センサ部が前記検出出力を得たとき前記電子装置本体の省電力状態を解除する第１の省電力状態解除部と、前記電子装置が省電力状態の場合、前記センサ部が前記対象を検出していない状態のときに前記電源スイッチの操作入力があると前記省電力状態を解除する第２の省電力状態解除部を有する。